(57)【要約】【課題】書類を収納する紙製の紙挟みであって、取扱時に上端からの書類の飛出しを防止でき、しかも、強度的に優れた紙挟みを提供する。【解決手段】紙挟みは、原形紙７に折り加工を施して構成され且つ各四角形の表表紙１と裏表紙３を備えている。表表紙１及び裏表紙３の下端角部側には、書類を挟み込むポケット４，５が設けられ、表表紙１及び裏表紙３の上端部には、書類の飛出しを防止するストッパー６，６が設けられる。各ストッパー６は、原形紙７に形成されたストッパー形成部７６，７６を折り返すことにより、表表紙１及び裏表紙３の各上端に沿ってそれぞれ伸びる細帯状に形成され、かつ、ストッパー６の長さＬは、前記の各上端の長さの７０〜９８％に設定される。【選択図】図１
2010162785.tif 000002
【特許請求の範囲】
【請求項１】
原形紙に折り加工を施して構成され且つ各四角形の表表紙と裏表紙を備えた紙挟みであって、開いた状態で内側面を視た場合、前記表表紙および前記裏表紙の下端角部側には、各々、書類を挟み込むポケットが設けられ、かつ、前記表表紙および前記裏表紙の上端部には、各々、書類の飛出しを防止するストッパーが設けられており、当該ストッパーは、前記原形紙に形成されたストッパー形成部を折り返すことにより、前記表表紙および前記裏表紙の各上端側の角部から前記表表紙と前記裏表紙の境界である折曲げ部分へ向けて前記各上端に沿ってそれぞれ伸びる細帯状に形成され、前記ストッパーの長さは、前記各上端の長さの７０〜９８％に設定されていることを特徴とする紙挟み。
【請求項２】
各ストッパーは、原形紙に形成されたストッパー形成部を折り返し且つ表表紙および裏表紙の内側面に貼着して形成されている請求項１に記載の紙挟み。
【請求項３】
各ストッパーは、原形紙に形成されたストッパー形成部の基部を表表紙および裏表紙の各内側面に向けて折り返し、更に先端側を逆方向に折り返して形成されている請求項１に記載の紙挟み。
【請求項４】
各ストッパーは、折り返したストッパー形成部の基部側を表表紙および裏表紙の内側面に貼着し、更に逆方向に折り返したストッパー形成部の先端側を当該ストッパー形成部の基部側に貼着して形成されている請求項３に記載の紙挟み。
【請求項５】
表表紙および／または裏表紙の内側面に樹脂の滑り止め層が設けられている請求項１〜４の何れかに記載の紙挟み。
【請求項６】
原形紙が、打抜き加工された１枚の紙から成る請求項１〜５の何れかに記載の紙挟み。
【発明の詳細な説明】
【技術分野】
【０００１】
本発明は、紙挟みに関するものであり、詳しくは、説明書、案内書、企画書などの書類を収納する紙挟みに関するものである。
【背景技術】
【０００２】
紙挟みは、書類入れ、ペーパーホルダー、フォルダー、ファイル、バインダー等の呼称で知られている周知の文房具であり、説明書、案内書、企画書などの各種の書類や図面（以下、「書類」と言う。）を綺麗な状態で保管、移動するために使用される。
【０００３】
上記の紙挟みは、型どりされた原形シートを中央部で折り曲げて各四角形に形成した表表紙と裏表紙を備えており、斯かる表表紙や裏表紙の内側面の下端側には、書類を挟み込むためのポケットが設けられている（特許文献１）。また、多機能化された紙挟みとしては、ＣＤやＤＶＤ等の情報媒体を収納するための切込がポケットに設けられたものが提案されている（特許文献２）。なお、これらの紙挟みは、製造コストを低減し且つ耐久性を高める観点から、樹脂シートにより構成されている。
【０００４】
一方、昨今では、廃棄処理やリサイクルのし易さ、環境への配慮、使用感の良さ等の観点から、紙製品も多く望まれており、紙を主材料とした紙挟みも開示されている。そして、斯かる紙挟みにおいては、裏表紙（本体側）の内側面の上端中央部に舌片状のストッパーを付設し、上端からの書類の飛出しを防止する様にした構造が提案されている（特許文献３）。
【先行技術文献】
【特許文献】
【０００５】
【特許文献１】特開２０００−７１６６３号公報
【特許文献２】特開２００７−７６３５１号公報
【特許文献３】実用新案登録第３０９４９２５号公報
【発明の概要】
【発明が解決しようとする課題】
【０００６】
ところで、紙製の紙挟みは、強度に難点があり、特に、周縁部が折れ曲がったり、破損し易いと言う問題がある。具体的には、ポケットが設けられた部位を除き、上端側の角部を含む縁部やストッパーが損傷し易い。その結果、ストッパーが十分に機能しなくなると言う問題も生じる。勿論、材料として一層厚い紙を使用するならば、強度を高めることも出来るが、その場合には、製造コストが高くなり、また、保管時により多くのスペースを必要とする。
【０００７】
本発明は、上記の実情に鑑みてなされたものであり、その目的は、書類を収納する紙製の紙挟みであって、取扱時に上端からの書類の飛出しを防止でき、しかも、強度的に優れた紙挟みを提供することにある。
【課題を解決するための手段】
【０００８】
上記の課題を解決するため、本発明においては、書類の飛出しを防止するストッパーを表表紙と裏表紙の各上端部に折り加工により設けると共に、ストッパーの形状を表表紙と裏表紙の各上端に沿わせた細帯状に形成し、しかも、ストッパーの長さを特定長さに設定することにより、表表紙と裏表紙の各上端部の剛性を高める様にした。
【０００９】
すなわち、本発明の要旨は、原形紙に折り加工を施して構成され且つ各四角形の表表紙と裏表紙を備えた紙挟みであって、開いた状態で内側面を視た場合、前記表表紙および前記裏表紙の下端角部側には、各々、書類を挟み込むポケットが設けられ、かつ、前記表表紙および前記裏表紙の上端部には、各々、書類の飛出しを防止するストッパーが設けられており、当該ストッパーは、前記原形紙に形成されたストッパー形成部を折り返すことにより、前記表表紙および前記裏表紙の各上端側の角部から前記表表紙と前記裏表紙の境界である折曲げ部分へ向けて前記各上端に沿ってそれぞれ伸びる細帯状に形成され、前記ストッパーの長さは、前記各上端の長さの７０〜９８％に設定されていることを特徴とする紙挟みに存する。
【発明の効果】
【００１０】
本発明に係る紙挟みによれば、表表紙および裏表紙の各上端部に設けられた特定の構造のストッパーにより、書類の飛出しを防止でき、しかも、表表紙および裏表紙の各上端側の角部を含む上端部の剛性を高めることが出来、縁部の折れや損傷を低減できる。そして、ストッパー自体の強度も高めることが出来る。
【図面の簡単な説明】
【００１１】
【図１】本発明に係る紙挟みの内側の構造を示す斜視図である。
【図２】本発明に係る紙挟みの材料である折り加工前の原形紙の一例を外側面から示した平面図である。
【発明を実施するための形態】
【００１２】
本発明の紙挟みは、図１に示す様に、各四角形に形成された表表紙１と裏表紙３を備えており、所定の形状に型どりされた原形紙７（図２参照）に折り加工を施して構成される。図２は、折り加工前の本体構成部材としての原形紙７（シート）を外側面（意匠面）から視た図であり、図中の点線は、折り加工の際に山折される折り線を示している。
【００１３】
本発明の紙挟みの構成材料、換言すれば、原形紙７を構成する紙としては、包装用紙、ファンシーペーパー、白ボール、チップボール等の板紙などの各種の紙を使用できる。これらは、塗工紙、非塗工紙の何れでもよいが、通常は、汚れの付着を低減し且つ意匠性を高めるために塗工紙が使用される。紙の厚さについては、用途、サイズ、コストを勘案して設定されるが、通常は１００〜５００ｇ／ｍ２、好ましくは１５０〜３００ｇ／ｍ２とされる。
【００１４】
図２に示す上記の原形紙７は、後述する様に、打抜き加工された１枚の紙から構成されており、表表紙１と裏表紙３は、原形紙７の中央部に折り加工を施すことにより、通常は同一の平面寸法に形成される。表表紙１及び裏表紙３の各大きさは、例えば、用紙サイズでＡ４以下の書類を収容する場合、縦が３０〜３１ｃｍ、横が２１．５〜２２．５ｃｍに設定され、用紙サイズでＢ５以下の書類を収容する場合、縦が２５〜２６ｃｍ、横が１８．５〜１９．５ｃｍに設定される。また、図１示す様に、本発明の紙挟みは、多くの書類を安全に収容するため、原形紙７の中央の２箇所に平行に折り加工を施すことにより、例えば５〜１０ｍｍの細幅の背表紙２が設けられてもよい。図２中の符号（２０）が背表紙２を構成する２箇所の折り線（折曲げ部分）を示す。
【００１５】
本発明の紙挟みは、機能性を高めるために図１に示す様な構造を備えている。すなわち、本発明の紙挟みにおいては、開いた状態で内側面（表表紙１及び裏表紙３の内面）を視た場合、表表紙１及び裏表紙３の下端角部側には、各々、書類を挟み込むポケット４，５が設けられる。そして、表表紙１及び裏表紙３の上端部には、各々、書類の飛出しを防止するストッパー６，６が設けられる。
【００１６】
本発明においては、書類の飛出しを防止すると共に、表表紙１及び裏表紙３の各上端部の強度を高めるため、上記の各ストッパー６は、図２に示す原形紙７に形成されたストッパー形成部７６，７６を折り返すことにより形成される。具体的には、各ストッパー６は、表表紙１及び裏表紙３の各上端に相当する原形紙７の上端の２箇所に張出された各ストッパー形成部７６，７６の基部を表表紙１及び裏表紙３の各内側面に向けて折り返すことにより、すなわち、図２の状態においてストッパー形成部７６を山折に折り返すことにより、表表紙１及び裏表紙３の内側面の各上端側の角部（表表紙１と裏表紙３を平面的に開いた状態において左右上端の角部）から表表紙１と裏表紙３の境界である折曲げ部分（２箇所の折り線２０で構成される背表紙２の部分）へ向けて前記の各上端に沿ってそれぞれ伸びる細帯状に形成される。
【００１７】
更に、上記の各ストッパー６の幅は、５〜１５ｍｍ程度に設定され、また、各ストッパー６の長さＬ（図２参照）は、表表紙１及び裏表紙３の各上端の長さ（左右方法の長さ）の７０〜９８％に設定される。各ストッパー６の長さＬを上記の範囲に規定する理由は次の通りである。すなわち、ストッパー６の長さＬが表表紙１及び裏表紙３の上端の長さの７０％未満の場合は、紙の厚さによっては表表紙１及び裏表紙３の上端部の全体的な剛性が不足し、折れ曲がりを生じ易くなり、また、小さなサイズの書類が飛び出す虞がある。一方、ストッパー６の長さＬが表表紙１及び裏表紙３の上端の長さの９８％を超えた場合、換言すれば、表表紙１及び裏表紙３の上端と略同等の長さの場合は、表表紙１と裏表紙３の境界である折曲げ部分と各ストッパー６の端部が競合うため、円滑に折り加工できないことがある。ストッパー６の長さＬは、上記の理由に基づき、実用上の観点から規定したものである。
【００１８】
また、上記の各ストッパー６は、原形紙７に形成されたストッパー形成部７６，７６を折り返し且つ表表紙１及び裏表紙３の内側面に貼着して形成される。具体的には、各ストッパー６は、ストッパー形成部７６の一面、または、表表紙１及び裏表紙３のストッパー形成部７６を折り返した場合に接触する部分に予め塗布された接着剤によって折り加工の際に貼付けられる。なお、上記の接着剤としては、でんぷん糊などの天然のリ、酢酸ビニル、アクリル系樹脂、シリコン変性ポリマー等を主成分とする各種の樹脂接着剤が使用できる。
【００１９】
更に、図示を省略するが、上記の各ストッパー６は、２回折り返された構造を備えていてもよい。すなわち、斯かる態様において、各ストッパー６は、原形紙７に形成されたストッパー形成部７６の基部を表表紙１及び裏表紙３の各内側面に向けて折り返し、更に先端側を逆方向に折り返して形成される。換言すれば、図２に相当する状態において、ストッパー形成部７６の基部を山折し、更に先端側を谷折して形成される。そして、１回の折りで形成される前述の態様と同様に、各ストッパー６は、折り返したストッパー形成部７６の基部側を表表紙１及び裏表紙３の内側面に貼着し、更に逆方向に折り返したストッパー形成部７６の先端側を当該ストッパー形成部７６の基部側の表表紙１及び裏表紙３と反対の面に貼着して形成されてもよい。上記の様に、ストッパー形成部７６の２回の折り加工によりストッパー６を構成した場合には、表表紙１及び裏表紙３の上端部の剛性をより一層高めることが出来る。
【００２０】
また、図１に示す様に、表表紙１及び裏表紙３の内側面には、各々、書類を保持するためのポケット４，５が設けられる。具体的には、各ポケット４，５は、例えば、表表紙１及び裏表紙３の各下端側角部を中心に９０°に開かれた扇状に形成される。上記のポケット４，５は、表表紙１及び裏表紙３の内側面の各下端に相当する原形紙７の下端の２箇所（図２参照）に張出された各ポケット形成部７４，７５を内側面へ折り返すと共に、表表紙１及び裏表紙３の縦縁に相当する原形紙７の側縁に張出された糊代７７，７８を内側面へ折り返し、各ポケット形成部７４，７５の縦縁と前記の糊代７７，７８とを貼着して形成される。上記の様に、表表紙１及び裏表紙３の各下端側角部にポケット４，５を設けることにより、前記の各下端側角部を含む表表紙１及び裏表紙３の下端部と側縁部の剛性を高めることが出来る。
【００２１】
更に、図１に示す様に、各ポケット４，５には、情報媒体やカードを差し込むための切込４１，５１が設けられてもよい。例えば、表表紙１のポケット４には、会員登録証などの小型の書類やカードを差し込むための切込４１が設けられ、裏表紙３のポケット５には、ＣＤ又はＤＶＤを差し込むための切込５１が設けられる。なお、符号５２は、ＣＤやＤＶＤの上部を係止するための円弧状の切込を示す。
【００２２】
また、図示しないが、本発明の好ましい態様においては、ポケット４，５に挟み込んだ書類の飛出しを防止するため、表表紙１及び／又は裏表紙３の内側面（裏面）には、樹脂の滑り止め層が設けられる。滑り止め層を構成する樹脂としては、例えば、イソプレンゴム、ブタジエンゴム、スチレンブタジエンゴム、クロロプレンゴム、アクリロニトリルブタジエンゴム等のジエン系ゴム、あるいは、ブチルゴム、エチレンプロピレンゴム、ウレタンゴム、シリコンゴム、塩素化ポリエチレン、アクリルゴム等の非ジエン系ゴムが挙げられる。
【００２３】
上記の滑り止め層は、表表紙１及び／又は裏表紙３の内側面に対して、より好ましくは表表紙１と裏表紙３の両方の内側面に対して、面積１〜４０ｃｍ２程度の円形や多角形などの模様状領域として複数ヶ所に配置したり、縦方向または横方向に伸びる帯状領域として配置することが出来る。なお、滑り止め層は、上記の樹脂から成るラベル状のフィルムやシート或いはテープを貼着して形成することも出来るが、通常は上記の樹脂を塗布して形成される。
【００２４】
本発明の紙挟みは、原材料の紙に打抜き加工を施して原形紙７を作成した後、当該原形紙の所定部位にのり付けを施し、折り加工を施して製造される。滑り止め層は、通常、上記の打抜き加工の前または後に塗布形成される。周知の通り、打抜き加工は、ビクトリア打抜機、平盤打抜機、ロータリダイカッタ等の打抜機を使用して行われる。また、のり付け及び折り加工は、ラウンドフィーダ折り機、菊全折り機、菊半折り機などの各種紙折機を使用して行われる。
【００２５】
本発明の紙挟みを使用する場合には、Ａ４判、Ｂ５判などの書類を表表紙１のポケット４及び／又は裏表紙３のポケット５に挟み込み、また、会員登録証などの小型の書類を表表紙１のポケット４の切込４１に差込み、更に、ＣＤやＤＶＤを裏表紙３のポケット５の切込５１に差込む。そして、表表紙１と裏表紙３を閉じた状態で書棚や引出に保管し或いは移動させる。その際、本発明の紙挟みにおいては、ポケット４，５により書類の脱落を防止でき、かつ、ストッパー６，６により上端からの書類の飛出しを防止することが出来る。
【００２６】
また、本発明の紙入れは、表表紙１と裏表紙３の各下端の角部側に折り加工によりポケット４，５が設けられており、これらポケット４，５により表表紙１及び裏表紙３の下端部と側縁部の剛性を高めている。そして、表表紙１と裏表紙３の各上端部に折り加工によりストッパー６，６が設けられており、しかも、これらストッパー６，６が細帯状に形成され且つ表表紙１及び裏表紙３の各上端側角部から表表紙１と裏表紙３の境界である折曲げ部分（背表紙２）へ向けて特定の長さＬに設定されており、これらストッパー６により表表紙１と裏表紙３の各上端部の剛性を高めている。
【００２７】
従って、本発明によれば、表表紙１及び裏表紙３の縁部の折れや損傷を低減することが出来る。そして、ストッパー形成部７６，７６の折り加工により表表紙１と裏表紙３の各上端に沿った細帯状にストッパー６，６が形成されているため、ストッパー自体の強度も高めることが出来る。また、本発明によれば、紙を断裁して得られた１枚の原形紙７で製造でき、しかも、ポケット４，５及びストッパー６，６による補強構造により厚さの比較的薄い紙を使用しても製造できるため、製造コストも一層低減することが出来る。更に、表表紙１及び／又は裏表紙３の内側面に滑り止め層が設けられていることにより、収められた書類の滑りがなく、書類の飛出しをより確実に防止することが出来る。
【符号の説明】
【００２８】
１  ：表表紙
２  ：背表紙
２０：折り線（折曲げ部分）
３  ：裏表紙
４  ：ポケット
５  ：ポケット
６  ：ストッパー
７  ：原形紙
７４：ポケット形成部
７５：ポケット形成部
７６：ストッパー形成部
Ｌ  ：ストッパーの長さ
【図１】
2010162785.tif 000003
【図２】
2010162785.tif 000004